(57)【要約】【課題】遊技面として盤面を有効に利用できる遊技装置を提供すること。【解決手段】本体１と、この本体１に設けられ、玉Ｔをガイドする盤面２と、この盤面２の前面側に設けられ、玉Ｔを受ける玉受けトレイ８と、上記盤面２の裏面側に設けられ、上記玉受けトレイ８から供給される玉Ｔを上昇させる上昇ユニット２０と、上記盤面２の上部裏面側に設けられ、上記上昇ユニット２０によって上昇した玉Ｔを上記盤面２の前面側に送る伸縮性ダクト３１と、を具備することを特徴とする。【選択図】    図２
2004248826.tif 000002
【特許請求の範囲】
【請求項１】
本体と、
この本体に設けられ、玉をガイドする盤面と、
この盤面の前面側に設けられ、玉を受ける玉受け手段と、
上記盤面の裏面側に設けられ、上記玉受け手段から供給される玉を上昇させる玉上昇手段と、
上記盤面の上部裏面側に設けられ、上記玉上昇手段によって上昇した玉を上記盤面の前面側に送る玉送り手段と、
を具備することを特徴とする遊技装置。
【請求項２】
上記玉上昇手段は、
上記盤面に対して回転可能な複数のプーリと、
これらプーリを回転させるモータと、
このモータを始動する第１の操作部と、
上記複数のプーリに掛け渡され、上記モータの駆動により上記プーリ間を循環走行するベルトと、
このベルトの外周面に所定間隔で設けられ、上記ベルトの走行により上記玉受け手段から供給される玉を上昇させる複数の支持板と、
を具備することを特徴とする請求項１記載の遊技装置。
【請求項３】
上記玉送り手段は、
上記玉上昇手段によって上昇した玉を受けるとともに、先端部から上記盤面の前面側に放出する伸縮性ダクトと、
この伸縮性ダクトを伸縮させる駆動手段と、
この駆動手段を動作させる第２の操作部と、
を具備することを特徴とする請求項１記載の遊技装置。
【請求項４】
上記伸縮性ダクトの先端部は、上記第２の操作部の操作量に応じた位置に移動されることを特徴とする請求項３記載の遊技装置。
【請求項５】
上記玉送り手段は、
上記玉上昇手段によって上昇した玉を受けるとともに、先端部から上記盤面の前面側に放出する固定ダクトと、
上記盤面の前面側に板面方向に沿って移動自在に設けられ、上記固定ダクトの先端部から放出される玉を受ける皿体と、
この皿体に設けられ、受けた玉を下方に落下させる落下穴と、
この皿体を移動させる駆動手段と、
この駆動手段を動作させる第２の操作部と、
を具備することを特徴とする請求項１記載の遊技装置。
【請求項６】
上記皿体は、上記第２の操作部の操作量に応じた位置に移動されることを特徴とする請求項５記載の遊技装置。
【発明の詳細な説明】
【０００１】
【発明の属する技術分野】
本発明は、玉を盤面に投入して玉入賞口に入れることを楽しむ遊技装置に関する。
【０００２】
【従来の技術】
一般にパチンコ台（遊技装置）の盤面には、複数の玉入賞口、多数本の釘、多数個のランプ、各種図柄を表示する表示部等が設けられている。表示部の例として、同軸上に複数のリール（ドラムとも称す）を配列し、これらリールの周面にそれぞれ図柄を描いたものがある。液晶表示部を採用し、リールと図柄の画像パターンを表示するものもある。
【０００３】
盤面の外側には、玉を発射させるための操作ハンドル及び玉受けトレイが設けられている。操作ハンドルを掌で掴んで回動すると、発射ユニットのモータが動作し、玉受けトレイに収容されている玉が１個ずつ連続して盤面２に向けて発射される。
【０００４】
発射された玉は、盤面上に設けられたガイド板に沿って上昇し、盤面の上方に投入される。そして、盤面上を多数本の釘に衝突しながら落下し、玉受けトレイに収容される。落下する玉が途中の玉入賞口に入ると、所定数の玉が玉受けトレイに放出される。
【０００５】
玉入賞口には、常時開放状態の通常入賞口及び始動入賞口があり、さらに、通常時は閉じて特別の大当たり時のみ開放する大当たり入賞口がある。始動入賞口に玉が入ると、表示部の各リールが回転を始め、その回転がやがて停止する。この停止時の各リール上の組み合わせが特定のパターンに一致したとき、大当たりとなり、大当たり入賞口が一定の時間にわたり継続的に開放するようになっている。
【０００６】
【発明が解決しようとする課題】
ところで、上述した従来のパチンコ台において、玉を盤面に投入するためのガイド板は、盤面の前面側に設けられている。そのため、遊技面として利用できる盤面のスペースがガイド板によって狭められ、盤面の有効な利用がなされていなかった。
【０００７】
本発明は、上記事情を鑑みてなされたものであって、その目的とするところは、遊技面として盤面を有効に利用できる遊技装置を提供することにある。
【０００８】
【課題を解決するための手段】
上記課題を解決し目的を達成するために、本発明の遊技装置は次のように構成されている。
【０００９】
（１）本体と、この本体に設けられ、玉をガイドする盤面と、この盤面の前面側に設けられ、玉を受ける玉受け手段と、上記盤面の裏面側に設けられ、上記玉受け手段から供給される玉を上昇させる玉上昇手段と、上記盤面の上部裏面側に設けられ、上記玉上昇手段によって上昇した玉を上記盤面の前面側に送る玉送り手段と、を具備することを特徴とする。
【００１０】
（２）（１）に記載された遊技装置であって、上記玉上昇手段は、上記盤面に対して回転可能な複数のプーリと、これらプーリを回転させるモータと、このモータを始動する第１の操作部と、上記複数のプーリに掛け渡され、上記モータの駆動により上記プーリ間を循環走行するベルトと、このベルトの外周面に所定間隔で設けられ、上記ベルトの走行により上記玉受け手段から供給される玉を上昇させる複数の支持板と、を具備することを特徴とする。
【００１１】
（３）（１）に記載された遊技装置であって、上記玉送り手段は、上記玉上昇手段によって上昇した玉を受けるとともに、先端部から上記盤面の前面側に放出する伸縮性ダクトと、この伸縮性ダクトを伸縮させる駆動手段と、この駆動手段を動作させる第２の操作部と、を具備することを特徴とする。
【００１２】
（４）（３）に記載された遊技装置であって、上記伸縮性ダクトの先端部は、上記第２の操作部の操作量に応じた位置に移動されることを特徴とする。
【００１３】
（５）（１）に記載された遊技装置であって、上記玉送り手段は、上記玉上昇手段によって上昇した玉を受けるとともに、先端部から上記盤面の前面側に放出する固定ダクトと、上記盤面の前面側に板面方向に沿って移動自在に設けられ、上記固定ダクトの先端部から放出される玉を受ける皿体と、この皿体に設けられ、受けた玉を下方に落下させる落下穴と、この皿体を移動させる駆動手段と、この駆動手段を動作させる第２の操作部と、を具備することを特徴とする。
【００１４】
（６）（５）に記載された遊技装置であって、上記皿体は、上記第２の操作部の操作量に応じた位置に移動されることを特徴とする。
【００１５】
【発明の実施の形態】
以下、図面を参照しながら本発明の実施の形態について説明する。
【００１６】
図１は本発明の第１の実施の形態に係るパチンコ台（遊技装置）の構成を示す正面図、図２は同実施の形態に係るパチンコ台の構成を示す裏面図である。
【００１７】
図１に示すように、本発明のパチンコ台は、本体１の前面に透明ガラス（不図示）を備え、その内側には盤面２が略垂直に設けられている。この盤面２はベニア板等の薄板により形成されており、上端部には上部スリット２ａが略水平に形成されている。
【００１８】
本体１前面の盤面２の正面視右下には、操作ハンドル３が回動自在に設けられている。操作ハンドル３の外周部には、手指が掛かり易いように３つの突起部３ａが所定間隔で設けられており、その表面には遊技者による手指の接触を検出する接触検出センサ４ａ（第１の操作部）、内部には操作ハンドル３の回動角度を検出する角度検出センサ４ｂ（第２の操作部）を備えている。
【００１９】
盤面２の略中央部には矩形状の表示窓４が設けられている。表示窓４の内部には、同軸上に配列された３つのリール（不図示）が回転可能に収容されており、各リールの表面には多数の図柄が周方向に沿って所定間隔で並べて描かれている。なお、表示窓４の内部には、リールの代わりに液晶表示部が設けられることもある。
【００２０】
盤面２の前面には、始動入賞口５、大当たり入賞口６、及び通常入賞口７等の玉入賞口が、多数本の釘（不図示）とともに設けられている。盤面２に投入されて落下する玉Ｔが玉入賞口５、６、７のいずれかに入ると、所定数の玉Ｔが玉受けトレイ８（玉受け手段）に放出される。
【００２１】
玉受けトレイ８は、本体１前面の盤面２下側に設けられている。玉受けトレイ８の底面８ａは、正面視右側に行くにつれて低くなるよう傾斜しており、内部に放出された玉Ｔは、この傾斜によって玉受けトレイ８の右側から順に溜まってゆく。そして、玉受けトレイ８内が玉Ｔで満杯になると、それ以降の入賞に基づいて放出される玉Ｔは、玉受けトレイ８の下側に設けられた玉収容皿９に流される。
【００２２】
玉受けトレイ８の正面視右側の部分は、図２に示すように、本体１の裏面側に延出し、排出トレイ１０をなしている。排出トレイ１０の底面は、盤面２の裏面側に行くにつれて低くなるよう傾斜しており、玉受けトレイ８内に溜まった玉Ｔは、この傾斜によって排出トレイ１０内に移動する。
【００２３】
図３に示すように、排出トレイ１０の側壁にはトレイ排出口１０ａが設けられている。トレイ排出口１０ａの寸法は、玉Ｔの外径寸法よりも僅かに大きく、盤面２の裏面側に移動した玉Ｔは、このトレイ排出口１０ａから１個ずつ排出される。
【００２４】
盤面２の裏面側には上昇ユニット２０（玉上昇手段）が略垂直に設けられている。この上昇ユニット２０は、蓋体２１ｃ（図４にのみ図示）により閉塞されるケース２１を有している。ケース２１は、側壁下側部に玉Ｔを上昇ユニット２０に受け入れるためのユニット供給口２１ａ、側壁上側部に玉Ｔを上昇ユニット２０から排出するためのユニット排出口２１ｂを備えている。そして、ユニット供給口２１ａには、排出トレイ１０に設けられたトレイ排出口１０ａが接続されている。
【００２５】
ケース２１の内部には、上プーリ２２と下プーリ２３が上下方向に所定間隔だけ離間して設けられている。これら上下プーリ２２、２３は、盤面２に対して回転可能に設けられ、その回転軸は盤面２と略直交する方向に向けられている。
【００２６】
上プーリ２２の回転軸２２ａには、モータ３５（図３にのみ図示）の駆動軸が連結されており、このモータ３５を駆動すると、上プーリ１５を矢印Ａ方向に所定速度で回転させる。
【００２７】
上下プーリ１５、１６には、ゴム製のベルト２４が弛み無く掛け渡されている。図４に示すように、このベルト２４は、所定間隔だけ離間して並べられた一対の幅狭ベルト２４ａ、２４ａを多数の支持板２５で連結することにより形成されている。
【００２８】
支持板２５は、ベルト２４の外周面に周方向に対して所定間隔、すなわち玉Ｔの外径寸法よりも僅かに大きな間隔で並設されており、隣り合う支持板２５の間には玉Ｔを収容するための収容スペース２６が形成されている。支持板２５のベルト２４との接合部側には、所定寸法の凹部２５ａが形成されており、ベルト２４の走行が押し出し案内部材２８（後述する）によって阻害されないようになっている。
【００２９】
このベルト２４は、上プーリ２２が矢印Ａ方向に回転することにより、上下プーリ２２、２３間を矢印Ｂ方向に所定速度で循環走行する。それによって、排出トレイ１０内の玉Ｔは、ユニット供給口２１ａ部分に順次繰り出される収容スペース２６に収容されて１個ずつ上昇してゆく。
【００３０】
ケース２１の内面には上昇ガイド面２７が形成されている。この上昇ガイド面２７は、支持板２５によって上昇する玉Ｔが落下しないように、ベルト２４の反対側から支持している。
【００３１】
ケース２１内の上部には、押し出し部材２８が設けられている。この押し出し部材２８は、上下プーリ２２、２３の間、すなわちベルト２４の内側に位置しており、その先端部は各幅狭ベルト２４ａ、２４ｂの間から支持板２５側に突出している。
【００３２】
押し出し部材２８の先端部には、押し出し案内面２８ａが形成されている。この押し出し案内面２８ａは、上昇ガイド面２７側に向かって傾斜しており、上昇する玉Ｔを矢印Ｃで示すように上昇ユニット２０から排出させる。
【００３３】
図２に示すように、盤面２裏面の上側には伸縮性ダクト３１（玉送り手段）が略水平に設けられている。この伸縮性ダクト３１は、伸縮自在な蛇腹部３１ａを備えており、その基端部はケース２１のユニット排出口２１ｂに接続されている。
【００３４】
伸縮性ダクト３１の先端部は、盤面２側に向かって曲成し、上部スリット２ａから盤面２の前面側に突出している。上昇ユニット２０から排出された玉Ｔは、伸縮性ダクト３１内に供給され、その先端部から盤面２の前面側に投入される。
【００３５】
伸縮性ダクト３１の先端部は、上部スリット２ａに沿ってスライド自在に支持されており、蛇腹部３１ａが伸縮可能な範囲内において、上部スリット２ａ内を水平方向に移動できる。
【００３６】
また、伸縮性ダクト３１の先端部には、環状ワイヤ３２がフック３１ｂを介して略水平に接続されている。この環状ワイヤ３２は、小プーリ３３を介して盤面２の裏面側で配索され、その中途部はワイヤモータ３４によって保持されている。
【００３７】
このワイヤモータ３４は、遊技者が操作ハンドル３を回動すると、環状ワイヤ３２を操作ハンドル３の回動方向に応じた方向に、回動角度に応じた長さ分だけ循環させる。それによって、遊技者は操作ハンドル３を操作することで、伸縮性ダクト３１の先端部を所望の位置に設定することができる。
【００３８】
制御回路の要部を図５に示す。
【００３９】
主制御部４０にＲＯＭ４１、ＲＡＭ４２、各種スイッチ群４３、接触検出センサ４ａ、角度検出センサ４ｂ、モータ３５、及びワイヤモータ３４が接続されている。
【００４０】
ＲＯＭ４１は、本体の動作に関わる各種制御用のプログラムを記憶している。ＲＡＭは４２、データの一時的記憶用として機能する。各種スイッチ群４３は、玉入賞口への玉Ｔの入賞をそれぞれ検知するためのスイッチの集合体である。
【００４１】
次に上記構成の作用を説明する。
【００４２】
遊技者が操作ハンドル３を握ると、接触検出センサ４ａが手指の接触を検出し、モータ３５を駆動する。すると、モータ３５に接続された上プーリ２２が回転し、ベルト２４を循環走行させる。
【００４３】
ベルト２４が走行すると、収容スペース２６に収容された玉Ｔは支持板２５と共に上昇する。そして、玉Ｔが上昇ユニット２０内に設けられた押し出し部材２８に到達すると、この玉Ｔは押し出し案内面２８ａによって伸縮性ダクト３１に押し出される。そして、伸縮性ダクト３１に供給された玉Ｔは、伸縮性ダクト３１内を転動し、その先端部から盤面２の前面側に投入される。
【００４４】
一方、遊技者が操作ハンドル３を所望の方向に回動すると、角度検出センサ４ｂが回動角度を検出して、ワイヤモータ３４が環状ワイヤ３２を操作ハンドル３の回動方向に応じた方向に、回動角度に応じた長さ分け保持した循環させる。それによって、遊技者は、伸縮性ダクト３１の先端部を所望の位置に設定する。
【００４５】
上記構成のパチンコ台によれば、玉Ｔを盤面２の上側に搬送するための上昇ユニット２０をベルトコンベア方式とし、さらに盤面２の裏面側に設けるようにしている。
【００４６】
上記構成のパチンコ台によれば、玉Ｔを盤面２の上側に搬送する上昇ユニット２０を盤面２の裏面側に設けている。
【００４７】
そのため、盤面２の前面側が上昇ユニット２０の占有面積だけ広くなるから、盤面２の前面を遊技面として有効に利用することができる。
【００４８】
さらに、上昇ユニット２０をベルトコンベア方式としている。
【００４９】
そのため、装置を複雑化することなく、盤面２の前面側を落下する玉Ｔを盤面２の裏面側を経由させて盤面２の上側から前面側に供給することができる。
【００５０】
また、玉Ｔを盤面２の前面側に送るための伸縮性ダクト３１を伸縮自在な構造とするとともに、操作ハンドル３の回動角度によって先端部の位置を自由に設定できるようにしている。
【００５１】
そのため、遊技者は手元の操作によって玉Ｔの投入位置を自由に変えることができる。
【００５２】
なお、上記実施の形態に係るパチンコ台は、上記構成に限定されるものではない。例えば、第１の実施の形態で使用された伸縮性ダクト３１に代えて、図６に示すコイルダクト３１Ａや、図７に示す絞りコイルダクト３１Ｂ等を用いてもよい。
【００５３】
図６に示すコイルダクト３１Ａは、蛇腹部３１ａの代わりにコイル製の伸縮部を備えている。また、図７に示す絞りコイルダクト３１Ｂは、図６に示すコイルダクト３１Ａの伸縮部を中心部が細くなるように絞ることで、伸縮性の向上が図られたものである。
【００５４】
図８は本発明の第２の実施の形態に係るパチンコ台の構成を示す正面図、図９は同実施の形態に係るパチンコ台の構成を示す裏面図である。
【００５５】
図８に示すように、本実施の形態では、伸縮自在な伸縮性ダクト３１に代えて、伸縮性のない固定ダクト５０と、中心部に落下穴５１ａを備えた皿体５１とを用いている。
【００５６】
固定ダクト５０は、盤面２の裏面上側に略水平に設けられている。固定ダクト５０の先端部は盤面２の前面側に曲成し、盤面２に形成された穴５３から盤面２の前面側に突出している。
【００５７】
皿体５１は、盤面２の前面側に盤面２の板面方向に沿って略水平に移動できるように支持されている。皿体５１の水平方向の両端部には、環状ワイヤ３２が略水平に接続されており、環状ワイヤ３２の中途部は盤面２の裏面に設けられたワイヤモータ３４によって保持されている。
【００５８】
ワイヤモータ３４は、遊技者が操作ハンドル３を回動すると、操作ハンドル３の回動方向に応じた方向に、回動角度に応じた長さ分だけ環状ワイヤ３２を循環させる。
【００５９】
上記構成のパチンコ台によれば、固定ダクト５０から盤面２の前面側に送られた玉Ｔは、まず皿体５１の上面に落下する。そして、皿体５１上に落下した玉Ｔは、皿体５１のほぼ中心部に形成された落下穴５１ａから下側に落下し、盤面２の前面側に投入される。
【００６０】
このように、本実施の形態のように伸縮性の無い固定ダクト５０を用いる構成であっても、操作ハンドル３を操作して皿体５１の位置を移動させることで、板面２に投入する玉Ｔの投入位置を自由に決めることができる。
【００６１】
図１０は本発明の第３の実施の形態に係る上昇ユニット６１を拡大して示す概略図である。図１０に示すように、本実施の形態に係る上昇ユニット６１は、ベルト２４の外周面に設けられた支持板２５を上昇ガイド面２７側に行くにつれて低くなるように傾斜させたものである。
【００６２】
このような構成にすることで、支持板２５上に支持された玉Ｔは、支持板２５の傾斜によってケース２１内に設けられたガイド面２７側に偏るから、玉Ｔが伸縮性ダクト３１の高さまで上昇したときに、押し出し部材２８を用いることなく、自然に伸縮性ダクト３１内に移動させることができる。
【００６３】
【発明の効果】
本発明によれば、盤面を遊技面として有効に利用することができる。
【図面の簡単な説明】
【図１】本発明の第１の実施の形態に係るパチンコ台（遊技装置）の構成を示す正面図。
【図２】同実施の形態に係るパチンコ台（遊技装置）の構成を示す裏面図。
【図３】同実施の形態に係るパチンコ台（遊技装置）の要部を拡大して示す断面図。
【図４】同実施の形態に係るパチンコ台（遊技装置）の要部を拡大して示す斜視図。
【図５】同実施の形態に係る制御回路を示すブロック図。
【図６】同実施の形態に係る伸縮性ダクトの第１の変形例を示す概略図であって、（ａ）は正面図、（ｂ）は斜視図。
【図７】同実施の形態に係る伸縮性ダクトの第２の変形例を示す概略図であって、（ａ）は正面図、（ｂ）は斜視図。
【図８】本発明の第２の実施の形態に係るパチンコ台（遊技装置）の構成を示す正面図。
【図９】同実施の形態に係るパチンコ台（遊技装置）の構成を示す裏面図。
【図１０】本発明の第３の実施の形態に係る上昇ユニットを拡大して示す概略図。
【符号の説明】
１…本体、２…盤面、４ａ…接触検出センサ（第１の操作部）、４ｂ…角度検出センサ（第２の操作部）、５、６、７…玉入賞口、８…玉受けトレイ（玉受け手段）、２０…上昇ユニット（玉上昇手段）、２２…上プーリ、２３…下プーリ、２４…ベルト、２５…支持板、３５…モータ、３１…伸縮性ダクト（玉送り手段）、３２…環状ワイヤ（駆動手段）、３４…ワイヤモータ（駆動手段）、５０…固定ダクト（玉送り手段）、５１…皿体、５１ａ…落下穴、Ｔ…玉。
【図１】
2004248826.tif 000003
【図２】
2004248826.tif 000004
【図３】
2004248826.tif 000005
【図４】
2004248826.tif 000006
【図５】
2004248826.tif 000007
【図６】
2004248826.tif 000008
【図７】
2004248826.tif 000009
【図８】
2004248826.tif 000010
【図９】
2004248826.tif 000011
【図１０】
2004248826.tif 000012